Podtech/llm-jp-corpus-v4-ja_patent huggingface dataset:
(57)【要約】      （修正有）【課題】従来の額縁やスタンド式の人物写真飾りに豪華さや他との差別化を付加した額縁やスタンド式写真飾りを提供する。【解決手段】従来の額縁１やスタンド式写真立の人物写真２の回りに写真本人の誕生花３を組合せる。【選択図】図１
2005087666.tif 000002
【特許請求の範囲】
【請求項１】
年間３６５日各日毎に設定された誕生日花の生花を乾燥させたものと、人物の写真を飾る額縁内に装填される人物写真の周囲に前記の乾燥花を配置して構成した誕生日花組込みの額縁。
【発明の詳細な説明】
【発明の詳細な説明】
【技術分野】
【０００１】  この発明は写真を飾る額縁に関するものである。
【背景技術】
【０００２】  従来赤ちゃんや子供の写真等は額縁やスタンド式写真立てに入れて飾っていたが、単純性からは脱却出来ず、かといって額縁の飾りを豪華にしても不釣り合いであった。
【発明が解決しようとする課題】
【０００３】  本発明は前記の課題を解決しようとするものであり額縁に飾った写真に色どりを加えて単純な写真飾りから１つの高級感又はより親密感のある写真額縁を提供しようとするものである。
【課題を解決するための手段】
【０００４】  従来の写真飾りの額縁に挿入した赤ちゃん，子供等の写真の周囲に写真本人の誕生日花を原色に近い状態で乾燥させたものを配置し、但写真本人の氏名や生年月日，誕生花名等を表記することによって額縁入の写真が豪華で差別化されたものとなる。
【発明を実施するための最良の形態】
【０００５】  以下本発明の実施形態について説明する。第１図は本発明の誕生日花を組み込んだ額縁である。１は額縁、２は人物写真、３は誕生日花、４は写真の人物の氏名、５は生年月日、６は誕生日花名である。
本発明の額縁を制作する場合は、依頼者は制作者に写真と氏名，生年月日を送り、希望する額縁をカタログ等より選定する。
制作者側は希望される額縁に送付された写真と写真本人の生年月日より誕生花を選定し、写真本人の氏名，誕生日花名，生年月日等を配置よく取りまとめて商品として、依頼者に送り届ける。【０００６】  本発明は以上の構成及び制作方法によって実施される。
【発明の効果】
【０００７】  依頼者より写真を送っていただき、誕生日花，又氏名，誕生日花名，生年月日等を形式よく配置することによって、従来にない額縁が構成出来、見本をカタログ化することによって通信販売や、テレビショピング等での販売が見込め、特に祖父母や叔父，叔母等より、孫や，甥，姪への贈り物等のビジネス機会が広がる。
【図面の簡単な説明】
【図１】  本発明の額縁の正面図である。１………額縁  ２………人物写真  ３………誕生日花  ４………人物の氏名  ５………生年月日  ６………誕生日花名
【図１】
2005087666.tif 000003
(57)【要約】【課題】  広いスペースを必要とすることなく、身体機能力を限定せず、且つ、ダイエット効果の確認ができる中空リング。【解決手段】  回転移動する球体２ａ２ｂ２ｃを収容した中空リング本体１に、測定用目盛り４を設けた固定用ベルト３を装着する。【選択図】  図１
2005087674.tif 000002
【特許請求の範囲】
【請求項１】
透過性を有する中空リングの中に、回転移動する３個の球体を収容し、その本体を、腰に固定するためのベルトとして、腰回り計測用の目盛りを設け、且つ、中空リングからの取り外しが自在なベルトを装着したことを特徴とする３個の球体入り中空リング。
【発明の詳細な説明】
【発明の詳細な説明】
【技術分野】
【０００１】  本発明は、腰に装着して、３個の球体を回転移動させることにより、健康増進ダイエット効果が期待できる、中空リングに関するものである。
【背景技術】
【０００２】  従来のフラフープは、回転させるための、広いスペースを必要とするため、使用場所が限られ、また落下させないための、腰の旋回は身体機能力を限定するものであった。さらにダイエット効果を、確認するためには、腰囲の計測は、別に行わなければならなかった。
【発明が解決しようとする課題】
【０００３】  本発明は、前述の問題点を解決し、ひろいスペースを必要とすることなく、身体機能力を限定せず、且つ、ダイエット効果の確認ができる、腰囲計測用目盛りつき固定ベルトを装着した３個の球体入り中空リングを提供するものである。
【課題を解決するための手段】
【０００４】  本発明は中空リング内に、回転移動する３個の球体を収容し、この本体を腰に固定するためのベルトに、計測用の目盛りを設けることにより、上記の問題点を解決している。
【発明を実施するための最良の形態】
【０００５】  本発明は中空リング内に、３個の回転移動する球体を収容し、その本体を腰に固定するための付属ベルトの腰部分に、計測用の目盛りを設けたものである。
【実施例】
【０００６】  以下添付図面に従って実施例を説明する。図１において、中空リング本体１の内部には、回転移動する球体２ａ２ｂ２ｃが収容され、本体を腰に固定するためのベルト３を外側に設けている。【０００７】  図２に示される実施例では、中空リング本体１の内部には、球体２が収容され、本体を腰に固定するための、付属ベルト３に、計測用の目盛り４を設けている。【０００８】  使用に際しては、中空リング本体１を、足下より通し腰の位置まで上げ、付属ベルト３にて装着固定する。その際、ベルト３に設けた、計測用目盛り４にて、腰囲の計測ができる。３個の球体２ａ２ｂ２ｃを、スムーズに回転移動させることにより、腰の運動が行え、ダイエット、骨盤矯正効果も期待できる。
【発明の効果】
【０００９】  上述のように、本発明の中空リングは、本体に３個の球体を収容し、計測用目盛り付き固定ベルトを付属したことを、特徴とするものであるから、リングを回転させるための広いスペースをとる必要がなく、腰に装着固定する際に、腰囲の測定ができ、且つリングを落下させないための、激しい腰の旋回を必要としないため、身体機能力を、限定せず、３個の球体を回転移動させることにより、腰の運動になり、またダイエット効果、骨盤矯正効果も期待できる。
【図面の簡単な説明】
【０００１０】
【図１】本発明の実施例を示した正面図である。
【図２】本発明の実施例を示した斜視図である。
【符号の説明】
【０００１１】１    中空リング本体
２ａ  球体
２ｂ  球体
２ｃ  球体
３    固定用ベルト
４    測定用目盛り
【図１】
2005087674.tif 000003
【図２】
2005087674.tif 000004
(57)【要約】【課題】床ずれは入院着床時より始まり好発生部に発赤が表われる発赤部位周辺をマッサージして血液の流れをよくすると同時に温熱を加えるものである【解決手段】入院時より床ずれの生じる各部位が予測できるので本発明は各部位周辺に適応する形状の微震動型装置軟質音響シートをその部位周辺に配列し、２〜３時間に約１０分間の割合で微振動させることにより血液の循環を促進し床ずれの発生を防止するものである病者及び健康体各個人差があるので好発生部及び各部位の体圧を測定実寸を測って予防具を作成し使用する医療器具を身体に埋め込まれている病者は微振動装置を停止温熱のみの予防具を使用する【選択図】図１
2005087673.tif 000002
【特許請求の範囲】
【請求項１】
軟質体圧分散マットに音響波振動シートを装置して音楽から発する微振動によるバイブ効果で好発部位周辺の血行促進を計る凸凹の無い平面な床ずれ予防具及びその製法。
【請求項２】
体圧分散マットに褥瘡好発部位各部周辺を暖める印刷低温熱シートを装置。平面温熱効果により血流を促す凸凹の無い平面な床ずれ予防具及びその製法。
【請求項３】
床ずれ予防具利用希望者の身体条件に合わせて好発部位及び各部位体圧計測の上個別に製作する凸凹の無い平面な床ずれ予防具及びその製法。
【請求項４】
請求項１、又は請求項２を重ねて利用する温熱バイブの相乗効果のある床ずれ予防具及びその製法。
【請求項５】
床ずれ予防以外の血行障害対応の予防具及びその製法
【発明の詳細な説明】
【発明の詳細な説明】
【技術分野】
【０００１】  この発明は床ずれ予防方法に関し、さらに詳しくは長期治療の必要な病者が老若男女を問わず、入院当日より悩む床ずれ（学名：褥瘡）の防止対策のため、血液循環を正常化し効率的に床ずれ発生を未然に防ぐ床ずれ予防具に関する。【０００２】  長いこと寝たきりの場合は、身体が圧迫されて血行障害が起きることで、皮膚や皮下組織が壊死してしまう。特に老人の場合は数時間で症状が現れる。【０００３】  腰や肩の周囲自己体重の圧迫を受けやすい部分の皮膚がただれたようになり、さらに進行すれば潰瘍ができてしまう。床ずれになってしまうと、患部から細菌が進入して感染症を患い、非常に苦しい思いをすることになる。【０００４】特に病気などで動けない高齢者は寝返りを打つのも困難である。じっと同じ体位で寝ていると、骨ばった部分などの皮膚が圧迫されて血液の循環が悪くなり、栄養不良に陥って皮膚が破れてくる。【０００５】  床ずれは骨が突出している部分にできやすく、中でも腰から下は最も床ずれのできやすい場所として注意が必要である。床ずれが進むと疾患部の肉がえぐれて穴が開き、骨にまで悪影響を与える。
【背景技術】
【０００６】  従来より確固たる予防法はなく、体の向きを２〜３時間毎に変えてやる。クッションなどを使い、床ずれになりやすい個所に重みがかからないようにする。床ずれのできやすいところをマッサージしたり、暖めて血行をよくするために蒸しタオルで拭いてやる。床ずれ初期の発赤ができた場合、マッサージしたり、可能な場合はベッド上に座らせたりして身体を動かし血液の循環を促す。【０００７】  床ずれ予防具としては、体と寝具の接触部分を軟らかくするためにウォーターベッド、エアーマット、ウェーブマットを使用したり、各部位に各座、円座等のクッションを置くか、軟毛の厶ートンによる肘、踵部位パッドを利用しているが、大きな効果は望めない。
（発明が解決しようとする課題）【０００８】  高齢者の病者が特に悲惨な思いをしている現状を考え、また現実に遭遇した人は多いと思われる。主たる病気が完治すれば幸いであるが、長い人生の終期に主病以外に床ずれ（褥瘡）で塗炭の苦しみを味わわせることは何としても防いでやらなければならない。単に床ずれ部位を軟質素材で苦痛を和らげることだけでなく、床ずれができにくくするには、血液の循環を正常化するように各部位周辺に微振動を１日４〜５回１０分間程度当てることで、予防効果は大きく床ずれができにくくなる。着床時には体圧分散マット使用は現在では常識である。【０００９】  身体に医療器具を埋めている人は電流による微振動予防具を使用することができないので、無通電の状態で使用しても床と皮膚との接触面は体圧分散マットにより、（図１、図２、図３、図４）効果は大である。【００１０】  床ずれ各部位単独の微振動型と無振動型、及び身体を動かすことができない病者用全身シートの微振動型と無振動型とからなる凸凹の無い平面な床ずれ予防具。前出願済の特許出願番号２００２−２４５９４５を改良し再度特許出願をするものであります。
（発明の実施の実態）【００１１】  本発明はあくまで床ずれ発生防止のための予防具であり、治療具ではない。入院後に発生する床ずれ部位は個人差があるものの、過去のデータから下記の割合となる。（全身を１００％とした数値）
▲１▼後頭部（図２）７％          ▲２▼肩甲骨周辺（図４）      ３５％
▲３▼仙骨腰部（図３）４５％      ▲４▼踵部                      ８％
他に、肘、耳、膝内側、肩上部、踵、手の甲など、いづれも皮膚と骨格の間に筋肉や脂肪が無く寝床との摩擦に弱い部位である（好発部位）。【００１２】  本発明は予防具により床ずれ部位周辺を温熱マッサージにより血行促進させて、部位周辺の血液の循環をよくできるように１回１０分程度の微振動を加えるものである
【図面の簡単な説明】
【００１３】
【図１】床ずれ予防パッドの断面図である  １：体圧分散マット  ２：振動フィルム  ３：温熱シート
【図２】微震動マットシート（音響シート
【図３】温熱シート低温マットシート印刷熱シート
【図１】
2005087673.tif 000003
【図２】
2005087673.tif 000004
【図３】
2005087673.tif 000005
(57)【要約】【課題】フィルターの表面の空気が通過する部分に磁気粉を噴霧又は塗布するか，フィルターの素材に磁気粉を混ぜて  空気中の細菌，ウィルス，カビの胞子等が  フィルター通過時  磁気により発生する電流で  細菌，ウィルス，カビの胞子等自体に通電し  殺菌することで  人の健康と生活環境の向上に役立たせるものである。【解決手段】フィルターの表面に磁気粉を噴霧又は塗布した磁気殺菌フィルターかフィルタ−素材に磁気粉を混ぜた磁気殺菌フィルターである。【選択図】  図１
2005087676.tif 000002
【特許請求の範囲】
【請求項１】
フィルターの表面に磁気粉を噴霧又は塗布した磁気殺菌フィルター
【請求項２】
フィルター素材に磁気粉を混ぜた磁気殺菌フィルター
【発明の詳細な説明】
【技術分野】
【０００１】  近年  高齢者の院内感染，国際的な伝染病等の健康問題が  大きな課題となっている。この健康問題を解決するためには  空気等の生活環境の改善が大変重要である。本発明は  人の健康を害する空気中の細菌，ウィルス，カビの胞子等を磁気により発生する電流で殺菌する，健康の向上に役立たせるための磁気殺菌フィルターに関するものである。
【背景技術】
【０００２】  病院，老人ホーム，ホテル等の公用施設や個人宅，自動車等の私用施設におけるエアコン，空気調和機，空気清浄機，カーエアコン，掃除機，乾燥機，ふとん乾燥機，マスク等のフィルターは  ゴミ，金属粉，微粒子除去に用いられていて  細菌，ウィルス，カビの胞子等の磁気粉等による殺菌に用いられていない。フィルター以外の殺菌用として  殺菌灯等が使用されているが，高価で別途部品である。
【発明の開示】
【発明が解決しようとする課題】
【０００３】  フィルターの表面に磁気粉を噴霧又は塗布するかフィルター素材に磁気粉を混ぜて磁気化して  空気中の細菌，ウォルス，カビの胞子等を殺菌し，健康と生活環境の向上を図るものである。
【課題を解決するための手段】
【０００４】  それを図面で説明するとフィルター（１）の表面に磁気粉（２）を噴霧又は塗布するか，フィルター素材（３）に磁気粉（４）を混ぜることによりフィルターを磁気化する。フッルター（１）は  樹脂系，ゴム系，繊維系，紙系素材で使用でき，磁気粉（２）は  安価で，簡単にフィルター（１）に噴霧又は塗布の方法で使用することができる。磁気粉（２）は  永久磁石のため  エネルギー等別途に不要で  費用をかけなくて  半永久に使用できる。磁気粉（４）は  フィルター素材（３）に混ぜられて  同様に半永久に使用できる。本発明は  以上の構成からなる磁気殺菌フィルターである。
【発明の効果】
【０００５】  本発明は，フィルターの表面に磁気粉を噴霧又は塗布するか，フィルター素材に磁気粉を混ぜてフィルターを磁気化して使用すると  磁気により発生する電流が  細菌，ウィルス，カビの胞子等に通電し，殺菌できる。このフィルターを使用することで，健康と生活環境の向上に役立たせることができる。
【発明を実施するための最良の形態】
【０００６】  本発明のフィルターは  今まで使用していた通りに使用でき，健康と生活環境の向上に効果を充分に図ることができる。
【図面の簡単な説明】
【０００７】
【図１】フィルターの表面に磁気粉を噴霧又は塗布した磁気殺菌フィルターの断面図である。
【図２】フィルター素材に磁気粉を混ぜた磁気殺菌フィルター繊維の断面図である。
【符号の説明】
【０００８】  １  フィルター
２  磁気粉
３  フィルター素材
４  磁気粉
【図１】
2005087676.tif 000003
【図２】
2005087676.tif 000004
(57)【要約】【課題】外部熱源から熱気を吸引し、加温する加温椅子を提供する。【解決手段】椅子の内部に吸引機を設け、椅子外部に吸気口と排気口を設け、吸気口と吸引機及び吸引機と排気口とを空気配管により接続したことを特徴とする加温椅子である。【選択図】図２
2005087678.tif 000002
【特許請求の範囲】
【請求項１】
椅子に吸引機と吸気口及び排気口を設け、吸気口と吸引機及び吸引機と排気口がそれぞれ空気配管により接続された構成の加温椅子。
【発明の詳細な説明】
【技術分野】
【０００１】  本発明は外部熱源から発生した熱気を吸引し、加温する加温椅子に関するものである。
【背景技術】
【０００２】  従来、電熱線等の発熱体を内蔵し加温する椅子が存在していた。
【発明の開示】
【発明が解決しようとする課題】
【０００３】  これは次のような問題があった。
（イ）発熱体に電熱線を使用していたため、過大な電力を消費していた。
（ロ）発熱に必要な電力を家庭用コンセントから供給する必要があるため、椅子と家庭用コンセントの接続が煩わしかった。
本発明は、これらの問題点を解決するためになされたものである。
【課題を解決するための手段】
【０００４】  椅子の内部に吸引機を設け、椅子外部に吸気口と排気口を設ける。さらに吸気口と吸引機及び吸引機と排気口とを空気配管により接続する。以上を特徴とする加温椅子である。
【発明の効果】
【０００５】  本加温椅子の吸気口を外部熱源に近接させると、吸引機が外部熱源から発生した熱気を椅子内部に吸引して椅子が暖まる。このため内部熱源を必要とせず、吸引機動作に掛かる僅かな電力で椅子を暖める事ができ、電力消費量が削減されると共に、外部電源を必要とする煩わしさも無くなった。
【発明を実施するための最良の形態】
【０００６】  以下、本発明の実施の形態を説明する。
（イ）椅子（１）の骨組み（５）の背部に吸引機（８）及び吸引機動作電源（１０）を取り付け、双方を電線（９）で結線する。
（ロ）椅子（１）の先端部に吸気口（３）及び排気口（４）を取り付ける。
（ハ）吸気口（３）と吸引機（８）の間に吸気側空気配管（７）を、吸引機（８）と排気口（４）の間に排気側空気配管（６）をそれぞれ設ける。
以上のような構成で、これを使用するときは吸気口（３）をこたつ（１１）やストーブ等の熱源に近づける。すると吸引機（８）により熱源から発生した熱気が椅子内部に吸引され、本加温椅子が加温する。
【図面の簡単な説明】
【０００７】
【図１】  本発明の斜視図
【図２】  本発明の部分断面斜視図
【図３】  本発明の椅子外装（２）を欠いた状態の斜視図
【図４】  本発明の椅子外装（２）を省略した分解斜視図
【図５】  本発明の使用状態を示す部分断面斜視図
【符号の説明】
【０００８】１  椅子
２  椅子外装
３  吸気口
４  排気口
５  骨組み
６  排気側空気配管
７  吸気側空気配管
８  吸引機
９  電線
１０  吸引機動作電源
１１  こたつ
【図１】
2005087678.tif 000003
【図２】
2005087678.tif 000004
【図３】
2005087678.tif 000005
【図４】
2005087678.tif 000006
【図５】
2005087678.tif 000007
(57)【要約】【課題】  テーブル等の高さ調整を可能にするアジャスターであって、ステンレスカバーを設けることにより高さ調整時の回動のしやすさと意匠性を向上させた調整機構付アジャスターを提供する。【解決手段】  ヘッド１ａに複数の凸部１ｂを設けてなるボルト１と半中空円筒形状に成形し上部表面の中心に螺孔部２ａを有してなるステンレスカバー２との組み合わせであり、該カバーにおける螺孔部２ａにボルト１の螺軸１ｃを螺合貫通させた状態で該カバー内空間をプラスチック３により占めてなる。【選択図】  図１
2005087672.tif 000002
【特許請求の範囲】
【請求項１】
家具下端に螺着して取り付け可能であるとともに、螺合調整により高さ調整が可能な調整機構付アジャスターであって、
ヘッドに複数の凸部を設けてなるボルト（以下特殊ボルトと称する）と、半中空円筒形状に成形し上部表面の中心に螺孔部を設けてなるステンレスカバーとの組み合わせであり、該カバーにおける螺孔部に特殊ボルトを螺合貫通させた状態で該カバー内空間をプラスチックにより占めてなることを特長とする調整機構付アジャスター。
【請求項２】
前記ステンレスカバーにおける螺孔部の端部にはスリットが設けられており、該カバー空間内を占めるプラスチックがスリット内に入り込み回動方向に対しての回り止めとなっていることを特長とする請求項１に記載の調整機構付アジャスター。
【請求項３】
特殊ボルトのヘッドに設けられた複数の凸部により、ステンレスカバーの下面にプラスチックが入り込む隙間が確保され、抜け方向に対しての抜け止めとなり、また該カバーを支持し補強効果を備えることを特長とする請求項１及び２に記載の調整機構付アジャスター。
【発明の詳細な説明】
【発明の詳細な説明】
【産業上の利用分野】
【０００１】  本発明は家具等の下端に取り付け、高さを調整するとともに滑り止め及び床面に引っ掻き傷を付けないようにすることを目的とする調整機構付アジャスターに関するものである。
【発明が解決しようとする課題】
【０００２】  従来のアジャスターは、例えば図５に示されるようにボルト６のヘッド６ａをインサート成形により埋設してなり、テーブルの脚Ｔの下端に螺着されるものである。またボルト６と螺孔部７との螺合調整によってテーブルの脚Ｔの高さを調整することが可能である。
【０００３】  しかし従来のアジャスターでは、高さ調整に際しプラスチック部分を握持して行うので形状によっては回動させにくく筐体を持ち上げながら行わなければならないことがあった。またプラスチック部分がむき出しになっており意匠性も良くないといえる。
【０００４】  本発明は以上のような点を鑑み発明したものであり、ステンレスカバーを設けることにより高さ調整に際し握持しやすく回動が容易になるとともに、プラスチック部分を覆い意匠性を向上させた調整機構付アジャスターを提供することを目的としている。
【課題を解決するための手段】
【０００５】  上記目的を達成させるために本発明の調整機構付アジャスターは、
ヘッドに複数の凸部を設けてなる特殊ボルトと、半中空円筒形状に成形し上部表面の中心に螺孔部を有してなるステンレスカバーとの組み合わせであり、該カバーにおける螺孔部に特殊ボルトを螺合貫通させた状態で該カバー内空間をプラスチックにより占めてなることを特長とする。
【０００６】  またステンレスカバーにおける螺孔部の端部にはスリットが設けられており、該カバー空間内を占めるプラスチックがスリット内に入り込むことで回動方向に対しての回り止めとなる。従ってステンレスカバーを握持し回動させることで高さ調整を容易に行うことができる。
【０００７】  更に特殊ボルトのヘッドには複数の凸部が加工してありステンレスカバーの下面にプラスチックが入り込み抜け方向に対しての抜け止めになるとともにステンレスカバーを支持し補強する。
【作用】
【０００８】  この調整機構付アジャスターを例えばテーブルの下端に装着すれば、回動によって高さを微調整できる。また滑り止めの役目と床面に引っ掻き傷を付けないようにする役目を果たす。
【実施例】
【０００９】  本発明の調整機構付アジャスターの実施形態について図を参照しながら説明する。本発明の調整機構付アジャスターは図１に示すように、
ヘッド１ａに複数の凸部１ｂを設けてなる特殊ボルト１と、半中空円筒形状に成形し上部表面の中心に螺孔部２ａを有してなるステンレスカバー２との組み合わせであり、該カバーにおける螺孔部２ａに特殊ボルト１における螺軸１ｃを螺合貫通させた状態で該カバー内空間をプラスチック３により占めてなる。【００１０】  また図２に示すように特殊ボルト１の頭部１ａには複数の凸部１ｂを設けることでプラスチック３がステンレスカバー２の下面に入り込む隙間が確保され、プラスチック３の抜けを防止する。更に凸部１ｂがステンレスカバーを支持することで強度が向上する。【００１１】  更にステンレスカバー２の螺孔部２ａの下端には図３に示すようにスリット２ｂが設けられておりこの部分にプラスチック３が入り込むことで回動方向に対しての回り止めとなる。【００１２】  従って図４に示すように本発明の調整機構付アジャスターを例えばテーブルの脚部Ｔにおける螺孔部４に螺着すれば、ステンレスカバー２を握持し回動させることにより高さ調整が可能となる。またステンレスカバー２がプラスチック３を覆い隠し外観が向上する。更にこのステンレスカバー２は状況に応じて材質の異なるものやメッキを施したものを使用するなど意匠性に幅を持たせることが可能である。
【発明の効果】
【００１３】  以上説明してきたように本発明の調整機構付アジャスターによればスリットを設けたステンレスカバーによりプラスチック部分を覆うことで高さ調整が容易に行えるようになるとともに、意匠性を向上させることが可能である。
【図面の簡単な説明】
【００１４】
【図１】  本発明の実施例に係る調整機構付アジャスターの一部切欠き縦断面図である。
【図２】  本発明の実施例に係る特殊ボルトの平面図及び一部切欠き縦断面図である
【図３】  本発明の実施例に係るステンレスカバーの一部切欠き縦断面図である。
【図４】  本発明の調整機構付アジャスターをテーブルの脚に取り付けた状態を示す一部切欠き縦断面図である。
【図５】  従来のアジャスターをテーブルの脚に取り付けた状態を示す一部切欠き縦断面図である。
【符号の説明】
【００１５】１  ・・・ボルト                ４  ・・・螺孔部
１ａ・・・ヘッド                ５  ・・・従来のアジャスター本体
１ｂ・・・凸部                  ６  ・・・ボルト
１ｃ・・・螺軸                  ６ａ・・・ヘッド
２  ・・・ステンレスカバー      ７  ・・・螺孔部
２ａ・・・螺孔部                Ｔ  ・・・テーブルの脚
２ｂ・・・スリット              Ｆ  ・・・床面
３  ・・・プラスチック
３ａ・・・凹部
【図１】
2005087672.tif 000003
【図２】
2005087672.tif 000004
【図３】
2005087672.tif 000005
【図４】
2005087672.tif 000006
【図５】
2005087672.tif 000007
(57)【要約】      （修正有）【課題】ロールペーパーの設置場所・必要場所は狭小の限定された場所が多い。場所を選ばず必要量を確保出来るペーパーホルダーを提供する。【解決手段】ペーパーホルダの本体１にペーパー抑え６を設けることにより、手で引き出されたペーパー５が、本体１の下部に自動的に折りたたまれるようにした。また、ペーパーカッタ４の一部に、他よりも大きめの突起を設けることにより、ペーパー切断時に、軽い力で切断できるようにした。【選択図】図１
2005087675.tif 000002
【特許請求の範囲】
【請求項１】
ペーパー支えを平板にし慣性による回転を最小限にする。
【請求項２】
ガイドをつけペーパーの動きを滑らかにする。
【請求項３】
カッターに他より大きめの突起を設け、ペーパーの切断を容易にする。
【請求項４】
ペーパー取り出し口を設け、手指による掴み出しを容易にする。
【発明の詳細な説明】
【発明の詳細な説明】
【技術分野】
【０００１】本発明は、ロールペーパー取り出し量確定するため、手動によりロールペーパーを降下させることにより、ペーパー抑え及びペーパー取り出し口を設置したことにより必要量の取り出しを出来る様にしたものである。
【背景技術】
【０００２】従来は、目測量にて腕を伸ばしペーパーを切断、手指にて適宜折畳んで使用に供していた。【０００３】
【特許文献１】特開２００１−０２９２５８。及び特開２００２−３０６３６９。
【発明が解決しようとする課題】
【０００４】ロールペーパーが使用される場所は狭い場所が多く、ペーパーを取り出し使用目的のサイズに畳むのに手間と時間が必要である。狭い場所をいとわず簡単に課題を解決したものである。
【課題を解決する為の手段】
【０００５】ペーパー支え２を設けるとペーパーが必要以上に下方へ下がるのを抑えるができる。ペーパーガイド３を通り本体１最下部へ達したペーパーは、ペーパー抑え６を付けると本体下部との間に必然的に折りたたまれる。またペーパーカッター４は大きめの突起より先に切断されその勢いで全体が簡単に切り裂かれる。
【発明を実施するための最良の形態】
【０００６】以下、本発明の実施の形態について説明する。
（イ）．ペーパー支え２にセットされたペーパー５は、手動によりペーパーガイドを通りペーパー下部先端８で止まるが、本体とペーパー抑え６が障害となり順次上方へと折りたたまれる形となる。
（ロ）．折りたたまれたペーパー５は、ペーパー取り出し口より手指にて上方へ引き出され、ペーパーカッター４で裁断され目的を果たす。
【発明の効果】
【０００７】使用必要量が取り出し口で目視出来る為、使用目的に耐え得る折畳枚数が確認出来る。無駄がなくまた折りたたむ手間面倒さが省かれる。
【図面の簡単な説明】
【図１】  本発明の正面図である。
【図２】  本発明の側面図である。
【符号の説明】
１本発明本体
２ペーパー支え
３ペーパーガイド
４ペーパーカッター
５ぺーパー
６ペーパー抑え
７ペーパー取り出し口
８ペーパー下部先端
【図１】
2005087675.tif 000003
【手続補正書】
【提出日】平成15年12月16日(2003.12.16)
【手続補正１】
【補正対象書類名】図面
【補正対象項目名】全図
【補正方法】変更
【補正の内容】
【図１】
2005087675.tif 000004
【図２】
2005087675.tif 000005
(57)【要約】（１）車椅子で介護を必要とする障害者の負担を軽くし便利さを追求。【目的】（１）軽乗用自家用車にも乗れる車椅子にした。【構成】（１）車椅子の座椅子を低くできるよう可動式にした。（２）折りたたみ装置を下に着けないで後ろに着けた。（３）車椅子を車体と座椅子に分けて昇降支柱で対にした。（４）背もたれを寝かすことができるようにした。【選択図】図１
2005087691.tif 000002
【特許請求の範囲】
【請求項１】
車椅子の座椅子を上下可動で最下位置迄下げ可能。
【発明の詳細な説明】
【発明の詳細な説明】
【発明の目的】
【０００１】（１）専用車に頼らない車椅子。
（２）一般軽乗用車にも乗れる車椅子。
【産業上の利用分野】
【０００２】（１）介護負担が軽減される。
（２）乗用車の利用価値が高くなる。
【背景技術】
【０００３】（１）車椅子の座椅子は低くならない。
（２）専用送迎車ゆえに負担が大きい。
（３）専用車ゆえに不便である。
【発明が解決しようとする課題】
【０００４】（１）障害者を車椅子に乗せたまま自家用車に乗せる。
【課題を解決しようとする手段】
【０００５】（１）車椅子に乗ったまま車に乗せるとき車椅子の座椅子を低くする。
【実施の形態】
【０００６】図１図２図３図４図５図６図７図８図９図１０に示す。
（１）車椅子は車体（１〜１１）と座椅子（１２〜１５）を昇降装置（１１，１４）を介して対にする。
（２）折りたたみ装置（７）と介添者の舵取り装置（６）を車体の後方に取りつけ背もたれ装置に併用することにより目的が達成できる。
（３）背もたれ装置は障害者の座高と車の開口高に合わせて寝かすことができる。
（４）車椅子を乗用車に乗せる時きには昇降装置（１１、１４、１０）によって下げ（６）を寝かす。
【発明の効果】
【０００７】（１）軽乗用車にも普通乗用車にも後ろの開口が８０センチメートル以上の車種がたくさんある、これらの車に当申請の車椅子を使うことで障害者を早く、自由に送迎することができる。
【図面の簡単な説明】
【０００８】
【図１】車椅子斜視図。座椅子１２の上がった状態の左前方斜視図。１は車輪、２は心棒、３は心棒取着具、４は外枠、５は制動装置、６は舵、６′は舵取着、８は前輪、８′は前輪取着、９は足置、９′は足置き角度、９″は足置取着、１０は昇降調節、１０′は１０の取っ手、１０″は１０の調節補助、１０″′は１０の可動枠、１２は座椅子、１３は内枠、１４は内枠付昇降支柱スプリング内設、１５は座椅子受。
【図２】車椅子正面図。座椅子１２の下がった状態の正面図。昇降装置１０を締めると上がらない。１′は車輪回し、７は折りたたみ装置、７′と７″は７の補助、１２は座椅子蝶番。
【図３】車椅子右側面図。座椅子の下がった状態の右側面図。背もたれ６の起きている図。５′は５の取っ手、５″は５の止め具、６は背もたれ調節。
【図４】車椅子平面図。背もたれ６、７の起きた状態の平面図で７′と７″を緩めると折りたたむことができる。
【図５】車椅子背面図。座椅子１２の下がった状態の背面図。昇降調節装置１０を締めると上がらない。
【図６】車椅子左側内面図。座椅子１２を下げて、背もたれ６の起ている状態図。６″を緩めると寝かすことができる。
【図７】車体平面図。座椅子を外した平面図。１１は昇降支柱受け、１１′は１１の補助。
【図８】車体左側内面図。７″′は７の蝶番で６と７を接続する。
【図９】座椅子（内枠）の左側面図。１３は内枠、１４は昇降支柱スプリング内設、１０″′は１０の可動枠。
【図１０】座椅子平面図。以下上記記述済み。
【図１】
2005087691.tif 000003
【図２】
2005087691.tif 000004
【図３】
2005087691.tif 000005
【図４】
2005087691.tif 000006
【図５】
2005087691.tif 000007
【図６】
2005087691.tif 000008
【図７】
2005087691.tif 000009
【図８】
2005087691.tif 000010
【図９】
2005087691.tif 000011
【図１０】
2005087691.tif 000012
(57)【要約】【課題】ドーナツタワシとブラシが一体化しており、風呂の縁に腰を掛け、手を使わず手軽に足の手入れが出来るタワシを提供する。【解決手段】踵の手入れと足の裏の手入れをするドーナツタワシに柄を付け、柄の先に指の間を手入れするブラシを設け、風呂の縁に腰を掛け、手を使わずに手軽に足の手入れが毎日出来るタワシである。【選択図】  図１
2005087700.tif 000002
【特許請求の範囲】
【請求項１】
一端をやや上方に曲げてなる扁平状の柄の一端に棒状のブラシを設け、柄の他端は中央を空洞にして、円形よりなるドーナツタワシを設け、柄の一部に掛け穴を設ける。
以上よりなる足の手入れ具。
【発明の詳細な説明】
【技術分野】
【０００１】  この発明は、足の踵、足の裏を洗う物で、ドーナツタワシに柄を付けて、柄の先にブラシを設け、風呂の縁に腰を掛け、片方の足の裏で柄を前後に動かすことによりドーナツタワシが動くので、もう片方の足の踵をドーナツタワシに入れると、踵の手入れができる。
又、柄を片方の足の裏で押えて、もう一方の足の裏をドーナツタワシの上で前後させることにより、足の裏の手入れが出来る。
最後に棒状のブラシで指の間を手入れして、足の手入れが手を使わずに簡単に出来る足の手入れ具である。
【背景技術】
【０００２】  従来のタワシは足の手入れをするものはなく、軽石かクリームに頼っていた。
これらは手を使うので、思うように洗えず、その為、踵は手を抜くと厚い皮になるので、なかなか手入れが出来なかった。
【発明の開示】
【発明が解決しようとする課題】
【０００３】  足の手入れをするのに、手を使う軽石か、クリームに頼っていたので、毎日の手入れは大変で、手を抜くと踵の皮が厚くなり、きれいにするのに苦労をしていた。
本発明は、これらの欠点を解決するためになされたものである。
【課題を解決するための手段】
【０００４】  一端をやや上方に曲げてなる扁平状の柄（２）の一端に、棒状のブラシ（３）を設ける。
柄（２）の反対端には中央を空洞にして円形よりなるドーナツタワシ（１）を設ける。
柄の一部に掛け穴（４）を設ける。
以上よりなり、風呂の縁に腰掛けながら足で柄（２）を片足で踏んで、床に本体を固定し、他の方の足をドーナツタワシ（１）にあてがって、こすりながらできる足の手入れ具。
【発明の効果】
【０００５】  本発明は、ドーナツタワシとブラシが一体化しており、足の手入れが手軽にできて便利である。
【発明を実施するための最良の形態】
【０００６】  この発明の実施の形態を図１について説明する。
（イ）帯板扁平状からなる柄（２）の一端をやや上方に曲げて、本体を床に置いた時、一端が床からやや浮き上がるようにする。
（ロ）柄（２）の一端に、棒状のブラシ（３）を設ける。
（ハ）柄（２）の反対側には中央を空洞にして、円形よりなるドーナツタワシ（１）を設ける。
（ニ）柄（２）の一部に掛け穴（４）を設ける。
本発明は以上よりなり、これを使用する時は、まず風呂の縁に腰掛けながら片足で柄（２）を前後に動かすことにより、ドーナツタワシ（１）が動くので、他の一方の足の踵をドーナツタワシ（１）の円形の穴に入れながら踵の手入れが出来る。
片方の足の裏、踵の手入れが終ると、柄を反対の方向に向けて、もう一方の足も同様にする。
最後に柄の先についている棒状のブラシで指の間の手入れをする。
又、掛け穴（４）を設け、使わない時には掛けることが出来る。
【図面の簡単な説明】
【０００７】
【図１】本発明の正面図である。
【図２】本発明の側面図である。
【図３】本発明の使用状態を示す側面図である。
【符号の説明】
【０００８】  １  ドーナツタワシ
２  柄
３  ブラシ
４  掛け穴
【図１】
2005087700.tif 000003
【図２】
2005087700.tif 000004
【図３】
2005087700.tif 000005
(57)【要約】【課題】洗濯機では落ちない、頑固な汚れを落とす為に、楽に両手でもみ洗いできる手袋を提供する。【解決手段】ゴム手袋１の両手親指部分３に、凹凸の洗濯部２を貼り付けることにより、手も傷つかず、洗剤のヌルヌルを気にすることなく、楽にもみ洗いにより、汚れを落とす事ができるようになった。【選択図】  図１
2005087696.tif 000002
【特許請求の範囲】
【請求項１】
両手の親指部分に凹凸の洗濯部を付け、もみ洗いで汚れを落とすゴム手袋。
【発明の詳細な説明】
【技術分野】
【０００１】本発明は、洗濯機では落ちない、頑固な汚れをもみ洗いで落とすことが、できる。
【背景技術】
【０００２】素手又はゴ厶手袋をはめて、洗濯板又は手で、もみ洗いをしていた。
【発明の開示】
【発明が解決しようとする課題】
【０００３】ゴム手袋をはめ、靴下サイズの物は洗濯板では洗いづらく、素手でもみ洗いをすると、手が擦れて痛く、手に付いた洗剤のヌルヌルがなかなか落ちない難点がある。本発明は、この課題を解消するためになされたものである。
【課題を解決するための手段】
【０００４】ゴム手袋の親指部分につけた、洗濯板のような凹凸で、両手でのもみ洗いで汚れを落とし、手も傷めないようにした。
【発明の効果】
【０００５】ゴム手袋１の両手、親指部分３に凹凸の洗濯部２を付けたので、両手でもみ洗いでき、汚れ落としが楽にできるようになった。手も傷つかず、洗剤でヌルヌルになる事もなくなった。
【発明の実施するため最良の形態】
【０００６】ゴム手袋の両親指部分に、波状の凹凸の洗濯部を貼り付ける。
【産業上の利用可能性】
【０００７】
【図面の簡単な説明】
【０００８】
【図１】本発明の正面図である。
【図２】本発明の完成図である。
【符号の説明】
１      ゴム手袋本体
２      凹凸の洗濯部
３      凹凸の洗濯部取り付け線
２ａ    凹凸の洗濯部の断面図
【図１】
2005087696.tif 000003
【図２】
2005087696.tif 000004
(57)【要約】【課題】  パソコン作業等で資料を見ながら画面打ち込みの際、資料が理想の位置に設置され、しかも終了時には解体の上収納出来る収納式ペーパーホルダーを提供する。【解決手段】（イ）ペーパー保持部分にホワイトボード（１）を使用し、これの裏面に小プレート（２）を浮かし板（３）により浮かした形で設け、一方架台盤（７）上にボード保持具（４）を設置、これに（２）が挿入可能のようにガイド溝（１０）を設ける。（ロ）架台盤（７）には中央部にボードユニット（Ａ）の角度を決めるための溝（９）を設ける。（ハ）架台盤（７）の先端部に板（８）を設ける。（ニ）ボードユニット（Ａ）及び架台ユニット（Ｂ）が収納できるＢＯＸ（１１）を設ける。以上の解決手段を設けたことを特徴とする。【選択図】  図１
2005087697.tif 000002
【特許請求の範囲】
【請求項１】
（イ）ペーパー保持部分にホワイトボード（１）を使用し、これの裏面に小プレート（２）を浮かし板（３）により浮かした形で設け、一方架台盤（７）上にボード保持具（４）を設置、これに（２）が挿入可能のようにガイド溝（１０）を設ける。
（ロ）架台盤（７）には中央部にボードユニット（Ａ）の角度を決めるための溝（９）を設ける。
（ハ）架台盤（７）の先端部に板（８）を設ける。
（ニ）ボードユニット（Ａ）及び架台ユニット（Ｂ）が収納できるＢＯＸ（１１）を設ける。
以上の構成によりなる収納式ペーパーホルダー。
【発明の詳細な説明】
【発明の詳細な説明】
【技術分野】
【０００１】この発明は、パソコン作業等、打ち込み内容記載の資料保持に関するものである。
【背景技術】
【０００２】（イ）本を斜めに立てて見る為の文具らしき物はある。
（ロ）アームが付いた机固定式のペーパーホルダーはある。
【発明が解決しようとする課題】
【０００３】それは次のような問題点があった。
（イ）直接ボードへマジックインクで記入することが出来なかった。
（ロ）マグネットピースで資料を保持する事ができなかった。
（ハ）分厚い資料を安定した状態で立てかけることが出来なかった。
（ニ）使用時ＢＯＸから取り出し、組み立て、終了時折りたたんでＢＯＸへ収納する事が出来なかった。
本発明は以上の問題点を解決するために発明されたものである。
【課題を解決するための手段】
【０００４】ペーパー保持部分にホワイトボード（１）を使用し、これの裏面に小プレート（２）を設け、一方架台盤（７）上にボード保持具（４）を設置、これに（２）が挿入可能のようにガイド溝を設ける。なお架台盤（７）にはボード保持器（４）の角度を調節する溝数本とホワイトボード（１）底部接点にスペースを設けるための板（８）を設ける。
本発明は、以上の構成よりなるパソコン作業用の収納式ペーパーホルダーである。
【発明を実施するための最良の形態】
【０００５】以下、本発明の実施の形態を説明する。
（イ）Ａ４サイズホワイトボード（１）の裏面に浮かし板（３）を設けたプレート（２）からなる、ボードユニット（Ａ）を設ける。
（ロ）一方、架台盤（７）の上にボードユニット保持具（４）を取り付けるが、ボードユニット（Ａ）のプレート（２）がスライスして挿入できるよう溝（１０）を設ける。
（ハ）ボードユニットの安定保持とボードの角度調節がなされるよう保持具（４）には衝立板（５）を取り付け、これの最下部は架台盤（７）側に切削された横溝（９）にはまり込むようになっている。
（ニ）さらに架台盤（７）はホワイトボードの下側接点部分スペース確保の為、先端に板（８）を設ける。
（ホ）ボードユニット（Ａ）及び架台ユニット（Ｂ）が収納出来るＢＯＸ（１１）を設けて非作業時にはこれらを収納しておく。
本発明は以上の構成よりなっている。
本発明を使用するときは、ＢＯＸからボードユニット（Ａ）と架台ユニット（Ｂ）を取り出す。
次に図１に示すように架台ユニット（Ｂ）の組み立てだが保持具（４）を理想の角度に立てるため架台盤（７）の溝（９）中一本を選択し、衝立版（５）をセットする。
ホワイトボード（１）の正面を両手で持ち、これの裏面プレート（２）の部分を保持具（４）の溝に沿わして挿入すると図２に示す状態になる。
図３に示すように組み立て完了後、ホワイトボード（１）の表面を正面に向け、用途により、資料をマグネットピースで固定するか、そのまま立てかける。叉はこれに直接マーカーで記入する。
以上によりパソコン作業時の資料が理想の形で保持または直接記入可能となる。図３（ｄ）に示すように、収納時はボードユニット（Ａ）を架台ユニット（Ｂ）から抜いてそれぞれＢＯＸ（８）へ挿入する。
【発明の効果】
【０００６】  本発明を使用する事によって、パソコン作業中、資料が理想の位置にしっかり保持されており、必要時にはボードをメモ代わりに活用する事も出来、分厚い資料を立てかけての閲覧も可能となった。そして何より収納可により、オフイス及び書斎がすっきり整頓された。
【図面の簡単な説明】
【図１】本発明の分解斜視図
【図２】本発明の斜視図
【図３】本発明の使用状態を示す一連の図であり  ａは本発明品使用状態の斜視図  ｂは作業に使用中のパソコン斜視図  ｃは本発明品使用状態の一部断面側面図  ｄは収納状態の斜視図
【符号の説明】
１    ホワイトボード
２    プレート
３    プレート浮かし板
４    保持具
５    衝立版
６    丁板
７    架台盤
８    板
９    溝
１０  ガイド部分
１１  収納ＢＯＸ
Ａ    ボードユニット
Ｂ    架台ユニット
【図１】
2005087697.tif 000003
【図２】
2005087697.tif 000004
【図３】
2005087697.tif 000005
(57)【要約】【課題】本発明は、夏場の暑い夜に快適に就寝できるように加工された冷却枕に関するものである。冷却したボトルを内部に設置できるように加工することで、全体を長時間冷却できる枕を提供する。【手段】空気枕の底部にボトルが入るスペースを設けるように加工する。冷蔵庫で凍結させたペットボトルを挿入することで、空気層が熱交換を行い、枕全体を冷却させる。【選択図】図１
2005087693.tif 000002
【特許請求の範囲】
【請求項１】
ペットボトルなどのボトルをはめ込める形状になっていることを特徴とする冷却枕。
【請求項２】
塩化ビニール等の熱可塑性樹脂またはゴム等のエラストマーを用いた請求項１記載の冷却枕。
【請求項３】
特にボトルと接触する部分には、請求項２の材料やアルミなどの熱伝導が良好な金属を使用することで、枕内部へのボトル結露の水滴浸透を防止していることを特徴とする請求項１記載の冷却枕
【発明の詳細な説明】
【技術分野】
【０００１】本発明は、従来の枕を、水および冷熱剤を充填冷却させたボトルがはめ込めるような構造にすることで、冷却デバイスの交換を容易にし、安価かつ容易に枕全体を冷却できるようにした空気枕に関するものである。
【背景技術】
【０００２】従来の冷却枕は、イ．氷枕のように、中空構造を持つ枕内部に水および砕氷を直接投入し、金具等で密閉し冷却する方法。ロ．ゲル状物質の冷熱剤を冷やして枕の一部に用いる方法や枕そのものを冷却する方法。ハ．細片の固形物を用いることで、綿の詰まった枕に比較し、熱の滞留を防ぎ自然放熱を促す方法はよく知られている。
【発明の開示】
【発明が解決しようとする課題】
【０００３】しかしながら、背景技術イの方法では冷却デバイスたる水や氷と人体の間に緩衝帯となりうる空間がないことより、固形物による不快感や、冷え過ぎによる頭痛が課題となっていた。背景技術ロの方法では人体からの放熱で長時間を持たずして、冷却デバイスが体温と同等の温度になることが課題となっていた。また、背景技術ハの方法では枕自体を継続的に冷却する機能がないことで人体と接触している部分には少なからず熱がこもることが課題であった。本発明はこれらの問題点を解決するためになされたものである。
【課題を解決するための手段】
【０００４】本発明は、枕を継続的に冷却するために、枕の底部または内部にペットボトル等のボトルが入れられる空間を設けることで、冷蔵庫で冷却したボトルが冷却デバイスとして利用でき、毎日容易に交換できることを見い出した。【０００５】背景技術イについては、人体と冷却デバイスの間の空気層によって、氷による不快感や冷え過ぎを防ぐとともに、空気の注入量により適度なクッション性と枕の高さを個人の好みにより自在にコントロールできるようになった。【０００６】背景技術ロについては、冷蔵庫で凍結させたボトルを用いることで従来のゲル状物質を一部用いた枕よりも長時間の冷却を可能にした。また廃棄物であるペットボトル等を有効利用することでデバイスは安価かつ容易に入手交換できる。【０００７】背景技術ハについては、本発明品であれば冷却デバイスによって継続的に強制冷却可能であり、空気の熱伝導により枕全体が冷却されることとなる。
【発明の効果】
【０００８】以上に述べた通り、本発明の冷却空気枕は、空気層の空間を設けたことによる不快感の大幅な軽減。冷却効果の持続性。冷却デバイスの容易な入手交換。空気の熱伝導による枕全体の冷却。により、これまでの問題点を低コストかつ容易に解消した。これらの相乗効果を勘案すれば、本発明は空気枕を用いることが好ましい。本発明は、廃棄物であるペットボトル等を用い、一般的に主たる枕ではなかった空気枕を、安価で快適な主たる枕とすることができる。
【発明を実施するための最良の形態】
【０００９】以下、実施例により本発明を更に詳細に説明するが、本発明はこの実施例に限定されるものではない。本発明実施にあたって、高周波ウェルダーで容易に熱溶着可能な塩化ビニールを用いている。又、ボトルは汎用の５００ｍｌペットボトルを用いている。
【実施例】
【００１０】上面シート（１）と底面シート（６）を所定の長方形に裁断し、底面シート（６）に逆流防止弁付き空気注入口（７）と支持帯ａ，ｂ（２，３）を所定の位置に熱溶着させる（図３）。支持帯ａ，ｂ（２，３）の反対側を上面シート（１）に熱溶着させた上で、底面シート（６）外周部と上面シート（１）外周部を熱溶着させることで枕内部を密閉された立体構造とする（図１）。【００１１】支持帯ａ（２）の縦幅を支持帯ｂ（３）の縦幅よりも短くすることで、本発明品に空気を注入した際に、支持帯ａ（２）の部分がつり上がったような形状となり、ボトルをはめ込めるスペース（５）を形成する（図１）（図３）。【００１２】支持帯ａ，ｂ（２，３）の横幅は、上面シート（１）および底面シート（６）の横幅よりも短くすることで、本発明品に空気を注入した際に、ボトルの左右を空気枕で包み込む形状となり、ボトルの冷気が左右に逃げない構造となる（図２）（図３）。【００１３】支持帯ａ（２）の横幅のいずれか一方を、支持帯ｂ（３）の横幅よりも長くすることで、本発明品に空気を注入した際に、ペットボトルなど飲み口側が細くなっているボトルにも密着させることが可能となる（図２）（図３）。【００１４】以上のように支持帯の縦幅や横幅を変更することで、様々な形状のボトル向けにスペース設計することが、容易に実現できた。又支持帯ａ，ｂ（２，３）ともに通気穴（４）を設けたことで、枕全体の熱交換効率を上げ、一部分に熱がこもらないようにできる（図１）。【００１５】更に、本発明品の改良案として以下の方法が容易に考えられる。支持帯ａ，ｂ（２，３）の取り付け位置を使用者の肩側に寄せることで、体熱のこもりやすい首筋の真下部分にボトル挿入スペース（５）を設置することが出来るため、より効果的に冷却感が得られるものと考えられる。【００１６】又、本発明品を２つ用いてボトル挿入スペース（５）を向かい合わせた構造にすることで、枕内部にボトルを設置することも考えられる。【００１７】又、空気枕を使用しない場合も、請求項３記載の防水処理を行い枕内部へ結露浸透を防ぐことで、枕上部に穀物殻、植物繊維、木材チップ、プラスチックパイプ、ウレタンフォーム、磁石、炭、小石、ゲル状冷熱剤、熱可塑性樹脂発泡体など通気性の良い材料を用いて空気の代替とすることが可能である。
【産業上の利用可能性】
【００１８】本発明のペットボトルを冷熱デバイスとして用いる方法は、枕以外にも例えば空気ベットを２Ｌのペットボトルがはめ込めるような構造に改良することで、夏涼しく冬暖かい空気ベットが可能であるなど様々な寝装具に適用可能である。【００１９】又、人間だけに限らず、空気層の部分をウレタン等のプラスチック発泡体に変更しボトル挿入スペースを設けることで、愛玩動物の冷却マットなどにも容易に転用が可能である。
【図面の簡単な説明】
【００２０】
【図１】本発明の斜視断面図
【図２】本発明の底面図
【図３】底面シートおよび支持帯の斜視図
【符号の説明】
【００２１】（１）上面シート
（２）支持帯ａ
（３）支持帯ｂ
（４）通気穴
（５）ボトル挿入スペース
（６）底面シート
（７）逆流防止弁付き空気注入口
【図１】
2005087693.tif 000003
【図２】
2005087693.tif 000004
【図３】
2005087693.tif 000005
(57)【要約】［課題］  使用中の普通の枕をそのまま利用できて、睡眠中の首のアーチをサポートできる首用のまくらを提供する。［解決手段］  現在使用中の普通の枕の首のあたる部分に添えて使用できるようにした。寝返りがうてるように肩幅くらいの長さにし、パイプ等、個人で量の調節が可能な中身ならばファスナー３をつけてアーチの高さや好みに対応できるようにした。【選択図】  図１  図２  図３
2005087686.tif 000002
【特許請求の範囲】
【請求項１】
就寝時、普通の枕の首があたる部分に添えて使用し、首のアーチをサポートできるようにした首用まくら。
【発明の詳細な説明】
【発明の詳細な説明】
［発明の属する技術分野］
【０００１】本発明は、就寝時に首の骨が、まっすぐになりがちなのを解決するために、現在使用している普通の枕の首の当たる部分に添えて、使用できるようにしたものである。
［従来の技術］
【０００２】従来は、使用中の普通の枕をそのまま利用できて、首のアーチをサポートする就寝時用の首用まくらはなかった。
［発明が解決しようとする課題］
【０００３】市販の、首のアーチをサポートする形の枕は、枕ごと取り替えなければならなく、高さも決まっているという難点があった。本発明は、この課題を解消するためになされたものである。
［課題を解決するための手段］
【０００４】頭をのせる枕本体とは別にし、図３の様に首のあたる部分に添えて使用できるようにすることで、現在使用中の普通の枕をそのまま利用して首のアーチをサポートできるようにした。さらに、中身が個人で出し入れできるパイプ等なら好みの高さに微調節できるように図２ファスナー３をつけた。
［発明の実施の形態］
【０００５】以下、本発明の実施の形態について説明する。
（イ）．寝返りをうてるように、肩幅くらいの長さをもたせた。
（ロ）．パイプ等の個人で出し入れ可能で、高さを調節できる中身ならば、図２ファスナー３をつけたものにする。
［発明の効果］
【０００６】現在使用中の普通の枕を買い替えなくても、図３のように首の部分に添えて使うことによって、就寝時の首のアーチをサポートできる。左右に寝返りがうてる肩幅くらいの長さにし、さらに、中身がパイプ等、個人で量の調節の可能なものならば、ファスナー３をつけ、好みや首のアーチに合わせて高さを調節できて心地よい。
【図面の簡単な説明】
【図１】  本発明の立面図である。
【図２】  本発明の平面図である。
【図３】  本発明の使用状態を示す断面図である。
【符号の説明】
１  首用まくら本体
２  ファスナーつき首用まくら本体
３  ファスナー
４  首用まくら本体（１，２共通）
５  普通のまくら
【図１】
2005087686.tif 000003
【図２】
2005087686.tif 000004
【図３】
2005087686.tif 000005